(57)【特許請求の範囲】
【請求項１】
化粧料等の内容物とそれを塗布する塗布具を収納する内部空間を備えた容器本体と、この容器本体に枢支ピンを介して開閉可能に保持される蓋体とを備えたコンパクトであって、
前記蓋体の揺動端又は容器本体の何れか一方に、容器本体又は蓋体の揺動端に係止して蓋体の開方向への揺動を阻止する一方、その回動又はスライドにて容器本体又は蓋体との係止を解除して蓋体の開方向への揺動を可能とするフックピースを配置してなり、
該フックピースの操作面に、滑り止め層が設けてあり、該滑り止め層がフックピースの回動又はスライド時に初期姿勢に復帰させる弾性アームを備えていることを特徴とするコンパクト。
【請求項２】
前記弾性アームが、更に、蓋体を閉じた際に生じる衝撃音を吸収する吸音部を有する請求項１に記載のコンパクト。
【請求項３】
前記滑り止め層が、エラストマー又は印刷によって構成されたものである、請求項１または２記載のコンパクト。
【発明の詳細な説明】
【技術分野】
【０００１】
本発明は、化粧料を収納して携帯するのに便利はコンパクトに関するものであり、該コンパクトの蓋を開ける際に生じがちなフックピース部における滑りを防止しようとするものである。
【背景技術】
【０００２】
コンパクトは一般にアイシャドーやアイライナー、ファンデーション等の化粧料をパフ等の塗布具とともに収納できる内部空間を有する容器本体と、この容器本体と枢軸を介して揺動可能に保持される蓋体にて構成されており、蓋体の揺動端又は容器本体の何れか一方に設けられたフックピースを操作（回動させるかスライドさせる）することによりロック状態を解除して蓋体の開放を可能にしている（例えば特許文献１参照）。
【０００３】
【特許文献１】実公昭６３−１２８０８号公報
【０００４】
ところで、従来型のコンパクトは、容器のデザイン上の観点からフックピースの操作面にテーパーがついていたりＲ形状が付与されてものが多数存在し、コンパクトの蓋体を開けるべくフックピースを操作する際に滑り易い（蓋体が開け難い）こともあって、使い勝手が良くないところに問題を残していた。
【発明の開示】
【発明が解決しようとする課題】
【０００５】
本発明の課題は、フックピースを操作する際の指の滑りを防止して一回で蓋を確実に開けることができる新規なコンパクトを提案するところにある。
【課題を解決するための手段】
【０００６】
本発明は、化粧料等の内容物とそれを塗布する塗布具を収納する内部空間を備えた容器本体と、この容器本体に枢支ピンを介して開閉可能に保持される蓋体とを備えたコンパクトであって、
前記蓋体の揺動端又は容器本体の何れか一方に、容器本体又は蓋体の揺動端に係止して蓋体の開方向への揺動を阻止する一方、その回動又はスライドにて容器本体又は蓋体との係止を解除して蓋体の開方向への揺動を可能とするフックピースを配置してなり、
該フックピースの操作面に、滑り止め層が設けてあり、該滑り止め層がフックピースの回動又はスライド時に初期姿勢に復帰させる弾性アームを備えていることを特徴とするコンパクトである。
【０００７】
前記弾性アームが、更に、蓋体を閉じた際に生じる衝撃音を吸収する吸音部を有する構造でもよい。
【０００８】
上記構成になるコンパクトにおいて、前記滑り止め層が、エラストマー又は印刷によって構成されたものが好適である。
【発明の効果】
【００１０】
容器本体や蓋体あるいはフックピースは通常、サイズが小さくＰＰ、ＡＳあるいはＡＢＳ等の合成樹脂からなっており、しかも、容器の外観デザイン等の観点からテーパーがついていたりＲ形状が付与されているため滑り易くなっているが、とくに、フックピースの操作面に滑り止め層を設けることで滑り難くなり蓋を一回の操作で確実に開けることができる。
【発明を実施するための最良の形態】
【００１１】
以下、図面を用いて本発明をより具体的に説明する。
図１（ａ）〜（ｄ）、図２は本発明が適用されるコンパクトの好適な基本構成を説明するために示したものであり、図１（ａ）は蓋体を取り外した状態の平面図、図１（ｂ）は左側側面の断面図、図１（ｃ）は右側側面の断面図、図１（ｄ）は正面側の断面図であり、図２は図１（ａ）の要部拡大図、図３は図１（ｃ）の要部断面図である。
【００１２】
図における番号１は化粧料等の内容物とそれを塗布する塗布具をそれぞれ同時に収納する内部空間Ａ、Ｂを備えた容器本体、２はこの容器本体１に枢支ピンＰを介して開閉可能に保持される蓋体、３は容器本体１に一体的に設けられた係止爪（図３参照）、４は蓋体２の揺動端に一体的に設けられた係止爪（図３参照）であり、この係止爪４と容器本体１に設けられた係止爪３が相互に係合することで容器本体１は蓋体２によって閉状態に保たれる。
【００１３】
また、５は容器本体１に一対の枢支ピンＳを介して回動可能に保持されたフックピースであり、このフックピース５は押圧片５ａを有していて、フックピース５を押圧、回動させることで図４に示すように押圧片５ａにて蓋体２の係止片４の下端を上方に向けて押し上げ係止爪３と係止片４の係合を解除して蓋体２の開放を可能とする。
【００１４】
また、６はフックピース５の操作面にインサート成形によって設けられたエラストマーからなる滑り止め層である（図３参照）。
【００１５】
滑り止め層６を有するフックピース５は指をあてがったとき滑ることがないのでその押圧による回動あるいはスライドにて蓋体２と容器本体１の係合は確実に解除され、使い勝手が改善される。
【００１６】
滑り止め層６をエラストマーにて構成する場合、容器の外観形状に影響を与えることがないのでデザインの変更を余儀なくされることはなくコストメリットも非常に大きい。また、滑り止め層６は、前記エラストマーに代えてフックピース５の表面に対して印刷を施すことによっても構成することができ、これによりエラストマーと同様の効果が期待できる。なお、印刷により滑り止め層を構成する場合にはフックピース５を構成する樹脂よりも摩擦抵抗の大きい塗料を選択する必要がある。
【００１７】
図５は本発明にしたがうコンパクトの実施の形態を示したものである。フックピース５の滑り止め層６には、これと同材質で一体になる弾性変形可能なアーム６ａを設けることができ、このアーム６ａの突端を容器本体１の内部側壁１ａに当接させておくと、フックピース５を押圧、回動させて該フックピース５から指を離反したとき、アーム６ａの復元力でフックピース５は初期姿勢にすぐさま復帰することになる。なお、ここに例示したコンパクトは、上掲図３に示した押圧片５ａがフックピース５の上端面に形成されており、フックピース５の押圧、回動時には該押圧片５ａにて蓋体２の下面を上方に押し上げ係止爪３と係止爪４の係合を解除することになる。
【００１８】
図６は本発明にしたがうコンパクトの他の実施の形態を示した図である。このコンパクトはフックピース５の滑り止め層６に上掲図５に示したものと同様、同材質で一体になる弾性変形可能な弾性アーム６ａを設けたものであり、該弾性アーム６ａの先端部分は蓋体２が閉じた状態でその係止片４の下端に圧接するようになっている。弾性アーム６ａをこのように構成すると、その復元力でもってフックピース５が初期姿勢に復帰することが可能であるばかりでなく、該弾性アーム６ａが吸音部として機能し蓋体２を閉じる際の係止片３、係止片４の係合に伴う衝撃音を効果的に吸収することができる。
【産業上の利用可能性】
【００１９】
蓋を開ける際に指が滑ることのない使い勝手のよいコンパクトを提供できる。
【図面の簡単な説明】
【００２０】
【図１】本発明が適用されるコンパクトの好適な基本構成を説明するために示した図であり、（ａ）は平面図、（ｂ）は左側面の断面図、（ｃ）は右側面の断面図、（ｄ）は正面の断面図である。
【図２】図１（ａ）の要部拡大図である。
【図３】図１（ｃ）の要部拡大図である。
【図４】蓋体の開放状態を示した図である。
【図５】本発明の実施の形態を示した図である。
【図６】本発明の他の実施の形態を示した図である。
【符号の説明】
【００２１】
１  容器本体
２  蓋体
３  係止爪
４  係止爪
５  フックピース
５ａ  押圧片
６  滑り止め層
６ａ  弾性アーム
【図１】
0004614667.tif 000002
【図２】
0004614667.tif 000003
【図３】
0004614667.tif 000004
【図４】
0004614667.tif 000005
【図５】
0004614667.tif 000006
【図６】
0004614667.tif 000007